(57)【要約】      （修正有）【課題】滑り止め機能と躓き防止機能を併有して、歩行面の安全性が更に高くなるとともに、危険の認識がし易くなる床板材を提供する。【解決手段】基材２０は表面に幅広溝２２を有し、幅広溝２２に埋設した滑り止め層３０と基材２０の表面とが面一に形成し、基材２０と滑り止め層３０に色調の異なる組み合わせの彩色を施したことを特徴とする。【選択図】図１
0003192723.tif 000002
【実用新案登録請求の範囲】
【請求項１】
基材と、該基材の表面に付設した一条の滑り止め層とを具備する床板材であって、
前記基材は表面に幅広溝を有し、
前記幅広溝の全長に埋設した滑り止め層と、前記基材の表面とが面一に形成してあり、
前記基材と滑り止め層に色調の異なる組み合わせの彩色を施したことを特徴とする、
床板材。
【請求項２】
前記幅広溝の溝幅が基材の横幅に対して、１／１０〜５／１０の範囲にあることを特徴とする、請求項１に記載の床板材。
【請求項３】
前記滑り止め層に発光要素または蓄光要素を混入したことを特徴とする、請求項１または２に記載の床板材。
【請求項４】
前記基材が合成木材であることを特徴とする、請求項１乃至３の何れか一項に記載の床板材。
【考案の詳細な説明】
【技術分野】
【０００１】
本考案は公園等のデッキプレート、テラス、バルコニー等の屋内外の施設に用いられる床板材に関する。
【背景技術】
【０００２】
板材の表面に滑り止め層を形成した床板材は特許文献１，２等により広く知られている。
また板材に間隔を隔てて複数の線状の細溝を形成し、これらの細溝に細幅の滑り止め層の一部を埋め込んで柾目模様にした床板材が特許文献３に開示されている。
【先行技術文献】
【特許文献】
【０００３】
【特許文献１】実開昭４８−４４７１６号公報
【特許文献２】実開昭６２−１５４１３０号公報
【特許文献３】特開平１０−７６５６１号公報
【考案の概要】
【考案が解決しようとする課題】
【０００４】
従来の床板材にはつぎのような問題点がある。
＜１＞板材の全面に滑り止め層を形成した特許文献１，２の床板材にあっては、大量の滑り止め材を使用するために不経済である。
＜２＞特許文献３に記載の床板材は数ミリの細幅の滑り止め層を機能させるために、板材の表面から滑り止め層の一部を突出させている。
そのため、滑り止め層と板材表面の間に生じた段差が原因で、躓いて転倒する危険がある。
＜３＞特許文献３に記載の床板材は、滑り止め層が細幅であるために、滑り止め層の接着面に応力が集中して剥がれ易い。
滑り止め層の剥離を防止するには、細溝を深く形成して接着面積を増大しなければならず、加工コストと加工時間が嵩む。
＜４＞複数の床板材を敷き並べて歩行面を形成した場合、従来の床板材の表面が単一色であるため、歩行面が単一の色調となって、歩行面の高低差や平滑性等を視認し難い。
例えば歩道に１０ｃｍ〜２０ｃｍ程度の段差を生じていた場合、健常者でも認識がし難く、特の高齢者や障害者にとっては段差を認識できずに転倒事故を誘発する。
【０００５】
本考案は既述した点に鑑みてなされたもので、その目的とするところはつぎの床板材を提供することにある。
＜１＞滑り止め機能と躓き防止機能を併有して歩行面の安全性が更に高くなること。
＜２＞歩行面における危険の認識がし易くなること。
＜３＞滑り止め層の剥離がし難くなること。
【課題を解決するための手段】
【０００６】
本考案は、基材と、該基材の表面に付設した一条の滑り止め層とを具備する床板材であって、前記基材は表面に幅広溝を有し、前記幅広溝の全長に埋設した滑り止め層と、前記基材の表面とが面一に形成してあり、前記基材と滑り止め層に色調の異なる組み合わせの彩色を施してある。
本考案の他の形態において、前記幅広溝の溝幅が基材の横幅に対して、１／１０〜５／１０の範囲にある。
本考案の他の形態において、前記滑り止め層に発光要素または蓄光要素を混入してもよい。
本考案の他の形態において、前記基材が合成木材である。
【考案の効果】
【０００７】
本考案は少なくとも次の一つの効果を得ることができる。
＜１＞滑り止め層を基材の表面と面一に形成して、床板材の表面の段差をなくしたので、段差に起因した躓きリスクを大幅に下げることができる。
＜２＞基材に形成した幅広溝に滑り止め層を介して滑り止め層を設けることと、基材と滑り止め層の色調を異なる組み合わせとすることで、従来と比べて歩行面の高低差、平滑性、曲面性を視認し易くした。
したがって、全面が単一色の従来の床板材と比べて、歩行面における危険の認識がし易くなる。
＜３＞滑り止め層と幅広溝との接着面積が広くなって確保できることと、滑り止め層に作用する外力を幅広溝との接触面を通じて分散できることにより、滑り止め層が剥離し難くなる。
＜４＞滑り止め層に発光要素または蓄光要素を混入すれば、夜間歩行の安全性が高まる。
【図面の簡単な説明】
【０００８】
【図１】一部を省略した本考案に係る床板材の斜視図
【図２】床板材の片面の拡大断面図
【図３】床板材の使用例の説明図
【図４】幅広溝を閉鎖した他の実施例の説明図で、（Ａ）は幅広溝の端部を曲面で形成した床板材の端部の平面図、（Ｂ）は幅広溝の端部を直線面で形成した床板材の端部の平面図
【考案を実施するための形態】
【０００９】
以下、図面を参照しながら本考案について説明する。
【００１０】
＜１＞床板材
図１を参照して説明すると、本考案に係る床板材１０は、基材２０と、基材２０の片面（表面）２１に、基材２０の片面２１と面一に埋設した一条の滑り止め層３０とを具備する。
複数の床板材１０を敷設した際に、歩行面の高低差等を認識し易くすめるために、基材２０と滑り止め層３０とを色調の異なる彩色の組み合せにしてある。
【００１１】
＜２＞基材
基材２０は一定の幅と厚さを有する剛性板であり、その片面（表面）に基材２０の長手方向に沿って幅広溝２２を形成している。
本例では基材２０が帯状を呈する形態について示すが、その形状は方形や多角形でもよい。
基材２０の片面２１に幅広溝２２を有していればよく、他の部位の形状や構造は問わない。
【００１２】
＜２．１＞基材の素材
基材２０の素材としては、例えば木粉と樹脂を混ぜて押し出し成形した合成木材、樹脂のプレス成形板、無垢の木材等を使用でき、基材２０の素材に制限はない。
本例では中空構造の合成木材を使用した場合を示すが、基材２０は中空構造に限定されず、空洞のない密実構造でもよい。
基材２０の両側面はフラット形状でもよく、互いに連結可能な凹凸の嵌合要素を有していてもよい。
【００１３】
＜２．２＞幅広溝の形成位置
幅広溝２２を基材２０の中心に形成する場合もあるが、デザイン性を考慮すると、基材２０の中心線に対して幅広溝２２を幅方向の片側に偏倚させるとよい。
基材２０が合成木材のような押し出し成形品である場合は、幅広溝２２を一体成形する。その他に切削加工により幅広溝２２を形成することも可能である。
【００１４】
＜２．３＞幅広溝の寸法
幅広溝２２の溝幅Ｌ１は均一であり、基材２０の横幅Ｌに対して、１／１０〜５／１０の範囲にある。例えば基材２０の横幅Ｌが１５０ｍｍである場合は、幅広溝２２の溝幅Ｌ１は１５ｍｍ〜７５ｍｍとなる。
幅広溝２２の溝幅Ｌ１が１５ｍｍより狭くなると、滑り止め層３０の付着力が不足するとともに、滑り止め層３０の視認性が悪くなる。幅広溝２２の溝幅Ｌ１を７５ｍｍより広くすると、滑り止め層３０の材料費が嵩んで不経済となる。
幅広溝２２の溝幅Ｌ１を広く確保して滑り止め層３０との付着面積を十分に確保できるので、幅広溝２２の深さは１ｍｍ〜３ｍｍの浅い寸法でよい。
【００１５】
＜２．４＞幅広溝の凹凸加工
例えばショットブラストを行って幅広溝２２の表面に微小な凹凸を形成しておくと、滑り止め層３０と幅広溝２２との付着力がさらに高くなる。
また幅広溝２２の断面形状を蟻溝にすることで、滑り止め層３０の側端部の局所的な剥がれを防止することも可能である。
【００１６】
＜３＞滑り止め層
滑り止め層３０は公知の滑り止め剤や滑り止めシート等を使用できる。
基材２０が滑り易い合成木材である場合は、流体を混合した溶融樹脂を幅広溝２２の全域に薄く塗布することで、樹脂の自己接着力を利用して滑り止め層３０を強固に固着することができる。
滑り止め層３０がシート状物である場合は、接着剤を介して幅広溝２２に接着する。
【００１７】
＜３．１＞基材の滑り止め層の表面の関係
前記したように滑り止め層３０の表面は基材２０の表面と面一に形成して、境界部に段差をつくらないようにする。
滑り止め層３０が盛り上がった場合は、基材２０の表面と面一となるように切除する。
【００１８】
＜３．２＞滑り止め層の耐剥離性について
従来と比べて有板材１０は滑り止め層３０と幅広溝２２の接着面積を広く確保できることと、滑り止め層３０に作用する外力を幅広溝２２との接触面を通じて分散できることにより、滑り止め層３０の剥がれに対する耐力が大きくなる。
【００１９】
＜４＞基材と滑り止め層の色調
複数の床板材１０を構成する基材２０と滑り止め層３０とを色調の異なる組み合せとした。
色調の組み合わせの要素は同系の彩色であり、明度と彩度が異なるようにする。
基材２０または滑り止め層３０の一方を例えば茶系のダークブラウンにし、他方をライトブラウンにする。
組み合せる同系の彩色は茶色に限定されず、種々の彩色を適用することができる。
色調の組み合わせを同系色にしたのは、落ち着きと安心感を与えるためである。
【００２０】
＜５＞床板材の使用例
図３に示した床板材１０の使用例について説明する。
複数の根太４０の上面には、根太４０の横断方向に向けて複数の床板材１０が敷設してある。
【００２１】
各床板材１０は滑り止め層３０を歩行面に露出して並設されているので、歩行者は床滑りをせずに安全に歩行することができる。
【００２２】
さらに、床板材１０の表面は、滑り止め層３０と基材２０の表面が面一に形成してあり、境界部に段差がないので、躓く心配もない。
【００２３】
また、床板材１０を通行方向に対して交差させて敷設してある場合、基材２０の地色と滑り止め層３０の彩色とが交互に配色され、しかもその彩色が同系色でありながら異なる色調の組み合せになっている。
したがって、本発明の床板材１０を使用した歩行面では、全面を単一色にした従来の歩行面と比べて、歩行面の高低差、水平性、および曲面性に対する視認性が非常に高くなる。
総合的に、本発明の床板材１０は従来と比べて歩行の安全性が飛躍的に向上する。
【００２４】
［他の実施例１］
以降に他の実施例について説明するが、その説明に際し、前記した実施例と同一の部位は同一の符号を付してその詳しい説明を省略する。
【００２５】
＜１＞他の床板材
図４を参照して、幅広溝２２の端部を開放せずに閉鎖して形成し、閉鎖構造の幅広溝２２に滑り止め層３０を形成した他の床板材１０について説明する。
【００２６】
＜２＞幅広溝の閉鎖形状例
図４の（Ａ）は幅広溝２２の端部を曲面にした形態を示し、図４の（Ｂ）は幅広溝２２の端部を直線面にした形態を示す。
幅広溝２２の端部の閉鎖形状は上記した例示に限定されず、種々の閉鎖形状を適用することができる。
【００２７】
＜３＞本例の効果
本例にあっては先の実施例の効果に加え、床板材１０のデザイン性が増し、商品価値が高くなる。
【００２８】
［他の実施例２］
図示を省略するが、滑り止め層３０に蛍光塗料や蓄光塗料を混入させて床板材１０を形成してもよい。
床板材１０の滑り止め層３０に発光機能を付与することで、夜間でも安全に歩行できる。
【符号の説明】
【００２９】
１０・・・・・床板材
２０・・・・・基材
２１・・・・・基材の片面
２２・・・・・基材の幅広溝
３０・・・・・滑り止め層
４０・・・・・根太
【図１】
0003192723.tif 000003
【図２】
0003192723.tif 000004
【図３】
0003192723.tif 000005
【図４】
0003192723.tif 000006